(57)【要約】【課題】空気中の有害化学物質に対する分解性能を向上させることが可能な空気浄化装置と、これを備えた空気調節装置を提供することである。【解決手段】空気浄化装置１は、一方端に気体の流入口と、他方端に気体の流出口と、流入口から流出口に通じる流通路を形成する、閉じられた内部空間とを有する、筒状の誘電体１１、蓋１２および蓋１３からなる容器と、この容器の内部空間内で流入口側の領域に配置された発熱体１４と、この容器の内部空間内で流出口側の領域に配置された放電電極１５および対向電極１６とを備える。【選択図】        図１
2006247582.tif 000002
【特許請求の範囲】
【請求項１】
一方端に気体の流入口と、他方端に気体の流出口と、流入口から流出口に通じる流通路を形成する、閉じられた内部空間とを有する容器と、
前記容器の内部空間内で流入口側の領域に配置された発熱体と、
前記容器の内部空間内で流出口側の領域に配置された電極と、
を備えた、空気浄化装置。
【請求項２】
前記容器は、筒状容器である、請求項１に記載の空気浄化装置。
【請求項３】
前記容器の流出口の外側に配置された排気手段をさらに備える、請求項１または請求項２に記載の空気浄化装置。
【請求項４】
前記電極の表面に接触する気体の温度は、前記発熱体によって１００℃以上に加熱される、請求項１から請求項３までのいずれか１項に記載の空気浄化装置。
【請求項５】
前記容器の少なくとも一部分が誘電体によって形成され、
前記電極は、前記容器の内部空間に接する前記誘電体の内側表面に配置された第１の電極と、前記容器の外側空間に接する前記誘電体の外側表面に配置された第２の電極とを含む、請求項１から請求項４までのいずれか１項に記載の空気浄化装置。
【請求項６】
前記第１の電極は、複数の開口部と、この複数の開口部を取り囲む周縁部とを有し、
前記第２の電極は、前記第１の電極に対向するように配置され、前記第１の電極の周縁部を取り囲む周縁部を有する、請求項５に記載の空気浄化装置。
【請求項７】
前記容器の外側を覆うように配置された断熱体をさらに備える、請求項１から請求項６までのいずれか１項に記載の空気浄化装置。
【請求項８】
請求項１から請求項７までのいずれか１項に記載の空気浄化装置を備えた、空気調節装置。
【発明の詳細な説明】
【技術分野】
【０００１】
この本発明は、放電プラズマを発生させることによって空気を浄化する空気浄化装置と、この空気浄化装置を備えた空気調節装置に関する。
【背景技術】
【０００２】
近年、環境問題の顕在化、居住空間の高気密化等に伴い、人体に有害な空気中の化学物質を取り除き、健康で快適な生活を送りたいという住環境に対する要望が強くなっている。このような要望に応えるため、大気中で放電プラズマを発生させ、放電プラズマによって生成するラジカル、オゾン、イオン等の活性種が持つ強い酸化作用を利用して空気中の有害な化学物質を分解する技術を搭載した空気清浄機、空気調和機等の空気調節装置が開発され、販売されている。
【０００３】
たとえば、特開平１１−３１９６３１号公報（特許文献１）には、空気中の臭気成分を放電電極で発生したプラズマ、ラジカル、オゾンと反応させることによって脱臭する技術を搭載した空気清浄機が開示されている。
【特許文献１】特開平１１−３１９６３１号公報
【発明の開示】
【発明が解決しようとする課題】
【０００４】
しかし、上述した従来の空気調節装置では、ラジカルが持つ強力な酸化力を十分に活かすことができないため、たとえば、オゾンとの反応では分解されにくいホルムアルデヒド等の有害化学物質に対する分解性能が低いという問題があった。
【０００５】
そこで、本発明の目的は、空気中の有害化学物質に対する分解性能を向上させることが可能な空気浄化装置と、これを備えた空気調節装置を提供することである。
【課題を解決するための手段】
【０００６】
この発明に従った空気浄化装置は、一方端に気体の流入口と、他方端に気体の流出口と、流入口から流出口に通じる流通路を形成する、閉じられた内部空間とを有する容器と、この容器の内部空間内で流入口側の領域に配置された発熱体と、この容器の内部空間内で流出口側の領域に配置された電極とを備える。
【０００７】
この発明に従った空気浄化装置においては、流入口側に発熱体、流出口側に電極が配置されているので、流入口から容器の中に取り入れられた空気の大部分が予め発熱体によって加熱された状態で電極の近傍に送られることにより、電極表面近傍の空気の温度をより高温にすることができる。また、容器は閉じられた内部空間を有するので、発熱体によって供給される熱が容器の外部に逃げるのを防ぎ、容器の中の空気の温度を高温に保つことができる。このため、電極表面近傍の空気の温度をより高温にすることができる。したがって、高温の空気中で放電プラズマを発生させることができる。これにより、放電プラズマによって生成するラジカルの反応活性が大幅に向上するので、空気中の有害化学物質に対して高い分解効果を得ることができる。
【０００８】
この発明に従った空気浄化装置においては、容器は筒状容器であるのが好ましい。この場合、流入口から閉じられた内部空間の中に取り込まれた空気が発熱体を通過して電極の近傍に到達する必要があるが、容器が筒状に形成されていると、流入口から容器の中に取り入れられた空気の大部分を予め発熱体によって加熱された状態で筒状空間に沿って電極の近傍に容易に送ることができるので、電極の近傍の空気の温度を高温に保つことが容易である。
【０００９】
また、この発明に従った空気浄化装置は、容器の流出口の外側に配置された排気手段をさらに備えるのが好ましい。この場合、閉じられた内部空間の中の温度を、発熱体の発熱量とともに、排気手段の排気量を調節することによって制御することができる。
【００１０】
さらに、この発明に従った空気浄化装置においては、電極の表面に接触する気体の温度は、発熱体によって１００℃以上に加熱されるのが好ましい。この場合、電極の近傍において空気中に含まれる水分が確実に気体となるため、電極表面の結露が全くなくなり、放電プラズマの強度が安定する。なお、空気浄化装置を構成する周辺の部材、部品等が変形、溶融、破損等しないようにするために、上記の加熱温度は１０００℃以下であるのが好ましい。
【００１１】
この発明に従った空気浄化装置においては、容器の少なくとも一部分が誘電体によって形成され、電極は、容器の内部空間に接する誘電体の内側表面に配置された第１の電極と、容器の外側空間に接する誘電体の外側表面に配置された第２の電極とを含むのが好ましい。この場合、容器の中の限られた空間を有効に利用して電極の面積を広くすることができるため、放電プラズマを広い領域に発生させることができ、空気中の有害化学物質に対して優れた分解効果を得ることができる。また、第１および第２の電極の固定が容易であるため、空気浄化装置を安価なコストで製造することができ、良好な品質を得ることができる。さらに、誘電体が第１の電極の近傍で沿面放電プラズマを発生させるための誘電体としての役割と、容器の少なくとも一部分を構成する構造材料としての役割を兼ねているため、使用材料を節約し、空気浄化装置を安価なコストで製造することができる。
【００１２】
また、上記のように構成されたこの発明の空気浄化装置においては、第１の電極は、複数の開口部と、この複数の開口部を取り囲む周縁部とを有し、第２の電極は、第１の電極に対向するように配置され、第１の電極の周縁部を取り囲む周縁部を有するのが好ましい。この場合、第１の電極を放電電極とし、第２の電極を対向電極として、容器の中の限られた空間を有効に利用して電極の面積をより広くすることができるため、放電プラズマをより広い領域に発生させることができ、空気中の有害化学物質に対してより優れた分解効果を得ることができる。
【００１３】
この発明に従った空気浄化装置は、容器の外側を覆うように配置された断熱体をさらに備えるのが好ましい。この場合、空気浄化装置の外部周囲の温度が上昇するのを防ぐことができる。
【００１４】
この発明の別の局面に従った空気調節装置は、上述した特徴の少なくともいずれかを有する空気浄化装置を備える。上記の空気浄化装置を用いた空気調節装置は、放電プラズマを利用して空気中の有害な化学物質を分解する作用を得る目的で用いることができ、具体的には、空気清浄機、空気調和機、除湿機、暖房機等に組み込んで用いることができる。
【発明の効果】
【００１５】
以上のようにこの発明によれば、放電プラズマによって生成するラジカルの反応活性が大幅に向上するので、ラジカルが持つ強力な酸化力を十分に活かすことにより、空気中の有害化学物質に対して高い分解効果を得ることができる。
【発明を実施するための最良の形態】
【００１６】
以下、この発明の実施の形態について図面に基づいて説明する。
【００１７】
（実施の形態１）
図１は、本発明の実施の形態１に係る空気浄化装置の概略構造を示す模式的な断面図である。
【００１８】
図１に示すように、空気浄化装置１は、筒状の誘電体１１と、一方端に気体の流入口（外気取入口）として中央に開口部が設けられた蓋１２と、他方端に気体の流出口（排気口）として中央に開口部が設けられた蓋１３とを備えている。誘電体１１と蓋１２および１３によって筒状の容器が構成され、流入口から流出口に通じる流通路を形成している。筒状の容器は閉じられた内部空間を有する。
【００１９】
発熱体１４は、筒状の容器の内部空間内で蓋１２の流入口側の領域に配置されている。第１および第２の電極として放電電極１５および対向電極１６は、筒状容器の内部空間内で流出口側の領域に配置されている。放電電極１５は、筒状容器の内部空間に接する誘電体１１の内側表面に配置され、対向電極１６は、筒状容器の外側空間に接する誘電体１１の外側表面に配置されている。放電電極１５および対向電極１６は、誘電体１１を挟んで互いに対向するように配置されている。電圧印加手段１７は、放電電極１５および対向電極１６の間に電圧を印加するように接続されている。排気手段１８は、チューブ１９によって蓋１３の流出口に接続されている。
【００２０】
放電電極１５は、複数の開口部と、この複数の開口部を取り囲む周縁部とを有する。対向電極１６は、内部に開口部を持たないで、放電電極１５に対向するように配置され、放電電極１５の周縁部を取り囲む周縁部を有する。すなわち、対向電極１６は、放電電極１５の開口部および周縁部を包含し、放電電極１５よりも一回り大きな平面領域を有する。
【００２１】
電圧印加手段１７は、放電電極１５と対向電極１６との間に交流高電圧等の時間変化する高電圧を印加する。これにより、放電電極１５の開口部の縁近傍と放電電極１５の周縁近傍で放電プラズマが発生する。
【００２２】
発熱体１４は、蓋１２の外気取入口と放電電極１５が配置された領域との間に設けられ、発熱体１４を通過する空気を加熱する。
【００２３】
排気手段１８は、チューブ１９を通して誘電体１１と蓋１２および蓋１３とによって囲まれる空間の空気を矢印Ｑで示される方向に排気する。それに伴って蓋１２の外気取入口を経由して外気が矢印Ｐで示される方向に、誘電体１１と蓋１２および蓋１３によって囲まれる空間の中に取り込まれる。
【００２４】
蓋１２の外気取入口を経由して取り込まれた外気は、誘電体１１と蓋１２および蓋１３によって囲まれる準閉空間の中で発熱体１４によって加熱されるため、この準閉空間の中の空気の温度を高温に保つことは容易である。また、この準閉空間の中の空気の温度は、発熱体１４の発熱量と排気手段１８の排気量とを調節することによって制御することができる。すなわち、発熱体１４の発熱量が多く、排気手段１８の排気量が少ない程、準閉空間の中の空気の温度が高温になる。
【００２５】
また、蓋１２の外気取入口から準閉空間の中に取り込まれた空気が放電電極１５の近傍に到達するまでに発熱体１４を通過するので、放電電極１５の近傍の空気の温度を高温に保つことは容易である。したがって、放電電極１５から放電プラズマを高温の空気中に発生させることができる。
【００２６】
上述のように構成された本発明の空気浄化装置１においては、流入口側に発熱体１４、流出口側に電極として放電電極１５と対向電極１６が配置されているので、流入口から容器の中に取り入れられた空気の大部分が予め発熱体１４によって加熱された状態で放電電極１５の近傍に送られることにより、放電電極１５表面近傍の空気の温度をより高温にすることができる。また、容器は閉じられた内部空間を有するので、発熱体１４によって供給される熱が容器の外部に逃げるのを防ぎ、容器の中の空気の温度を高温に保つことができる。このため、放電電極１５表面近傍の空気の温度をより高温にすることができる。したがって、高温の空気中で放電プラズマを発生させることができる。これにより、放電プラズマによって生成するラジカルの反応活性が大幅に向上するので、空気中の有害化学物質に対して高い分解効果を得ることができる。
【００２７】
また、空気浄化装置１においては、流入口から閉じられた内部空間の中に取り込まれた空気が発熱体１４を通過して放電電極１５の近傍に到達する必要があるが、容器は筒状容器であるので、流入口から容器の中に取り入れられた空気の大部分を予め発熱体１４によって加熱された状態で筒状空間に沿って放電電極１５の近傍に容易に送ることができるので、放電電極１５の近傍の空気の温度を高温に保つことが容易である。
【００２８】
さらに、空気浄化装置１においては、放電電極１５の表面に接触する気体の温度は、発熱体１４によって１００℃以上に加熱されるのが好ましい。この場合、放電電極１５の近傍において空気中に含まれる水分が確実に気体となるため、放電電極１５表面の結露が全くなくなり、放電プラズマの強度が安定する。なお、空気浄化装置１を構成する周辺の部材、部品等が変形、溶融、破損等しないようにするために、上記の加熱温度は１０００℃以下であるのが好ましい。
【００２９】
空気浄化装置１においては、容器を構成する少なくとも一部分が誘電体１１によって形成されていればよい。電極は、容器の内部空間に接する誘電体１１の内側表面に配置された第１の電極として放電電極１５と、容器の外側空間に接する誘電体１１の外側表面に配置された第２の電極として対向電極１６を含むので、容器の中の限られた空間を有効に利用して電極の面積を広くすることができる。このため、放電プラズマを広い領域に発生させることができ、空気中の有害化学物質に対して優れた分解効果を得ることができる。また、放電電極１５および対向電極１６の固定が容易であるため、空気浄化装置１を安価なコストで製造することができ、良好な品質を得ることができる。さらに、誘電体１１が放電電極１５の近傍で沿面放電プラズマを発生させるための誘電体１１としての役割と、容器の少なくとも一部分を構成する構造材料としての役割を兼ねているため、使用材料を節約し、空気浄化装置を安価なコストで製造することができる。
【００３０】
また、上記のように構成された空気浄化装置１においては、放電電極１５は、複数の開口部と、この複数の開口部を取り囲む周縁部とを有し、対向電極１６は、放電電極１５に対向するように配置され、放電電極１５の周縁部を取り囲む周縁部を有するので、容器の中の限られた空間を有効に利用して電極の面積をより広くすることができるため、放電プラズマをより広い領域に発生させることができ、空気中の有害化学物質に対してより優れた分解効果を得ることができる。
【００３１】
なお、上記の構成において、放電電極１５と対向電極１６との間に電圧を印加すると、誘電体１１が分極し、この分極の大きさに応じて電位が高い方の電極に正の電荷が蓄えられ、電位が低い方の電極に等量の負の電荷が蓄えられる。そして、放電電極１５の電極端（放電電極１５の開口部の縁、および放電電極の周縁）近傍の空気中において、誘電体１１の分極がつくる電場と、電極に蓄えられた電荷がつくる電場とが強め合い、電場が発生する。
【００３２】
ここで、誘電体１１の比誘電率と厚みをそれぞれε、ｄで表し、電極間に印加する電圧の大きさをＶ（ｔ）（電圧の大きさＶは時間ｔの関数）で表すと、誘電体１１の分極は（ε−１）／ｄとＶ（ｔ）の積に比例する。したがって、誘電体１１の比誘電率が大きく、厚みが薄い程、分極が大きくなる。また、印加電圧が大きいほど分極が大きくなる。しかし、誘電体１１の分極が大きくても、誘電体１１の分極が増加する速度が小さい場合には、誘電体１１と空気の境界面（誘電体１１の表面）が帯電して電極端近傍の空気中の電場の上昇を防ごうとする働きが優勢であるため、電極端近傍の空気中の電場はあまり強くない。電極端近傍の空気中に強い電場を発生させるためには、誘電体１１と空気の境界面（誘電体の表面）の帯電が増加する速度に打ち勝つような大きな速度で誘電体の分極を増加させるか、誘電体１１の分極を十分に大きな速度で減少させることによって誘電体１１と空気の境界面（誘電体１１の表面）に取り残された帯電を利用する必要がある。すなわち、誘電体１１の分極を時間変化させることが電極端近傍の空気中に強い電場を発生させる有効な手段である。
【００３３】
上述したように、誘電体１１の分極は（ε−１）／ｄとＶ（ｔ）の積に比例するが、誘電体１１の比誘電率εや厚みｄの時間変化は無視できるほど小さいと考えられるので、誘電体１１の分極を時間変化させるためには、電極間に印加する電圧Ｖ（ｔ）を時間変化させる必要がある。そして、印加電圧Ｖ（ｔ）の時間変化速度が大きい程、誘電体１１の分極の時間変化速度が大きくなり、電極端近傍の空気中に強い電場が発生する。
【００３４】
本発明の空気浄化装置１は、このようにして放電電極１５の電極端近傍の空気中に強い電場を発生させることにより、放電プラズマを生成する。なお、対向電極１６の平面領域が放電電極１５の平面領域を包含するので、対向電極１６の電極端（対向電極１６の周縁）近傍の空気中では電場が弱く、放電プラズマは発生しない。放電電極１５の近傍の空気の温度は高温であるため、放電プラズマによって生成したオゾンの一部分、または大部分は熱によって分解する。したがって、人体に有害なオゾンが空気浄化装置１の外部に放出されるのを低減することができる。
【００３５】
誘電体１１としては、温度が数百℃の空気に接触しても形状を保つことが可能であればよく、ガラス、セラミックス等の通常用いられる一般的な誘電体を用いることができ、特に限定されない。また、誘電体１１の形状は筒状であればよく、特に限定されないが、たとえば、円筒状のものを用いることができる。
【００３６】
放電電極１５としては、たとえば、ステンレス鋼、タングステン等の金網や、金属薄板の内部に複数の開口部が設けられたものを用いることができる。
【００３７】
対向電極１６としては、たとえば、ステンレス鋼、タングステン等の金属薄板を用いることができる。ただし、対向電極１６の構成は、特にこれに限定されるものではなく、たとえば、タングステン、金、銀、白金、パラジウム、アルミニウム、銅、ニッケル、モリブデン等の金属、またはこれらの金属を含む導電材料の膜を、物理的または化学的に、あるいは、印刷によって基材に形成してもよい。
【００３８】
電圧印加手段１７としては、交流高電圧等の時間変化する高電圧を所望の波形で印加することができればよく、一般的に用いられる構成のものを適宜適用することができ、特に限定されない。
【００３９】
上述したように構成された空気浄化装置１を備える空気調節装置は、放電プラズマを利用して空気中の有害な化学物質を分解する作用を得る目的で用いることができ、具体的には、空気清浄機、空気調和機、除湿機、暖房機等に組み込んで用いることができる。
【００４０】
（実施の形態２）
図２は、本発明の実施の形態２に係る空気浄化装置の概略構造を示す模式的な断面図である。
【００４１】
図２に示すように、この実施の形態では、空気浄化装置２を構成する誘電体１１の外側が断熱材２１によって覆われているため、誘電体１１の外側表面から熱が逃げて周囲の温度が上昇するのを防ぐことができる。
【００４２】
また、排気手段１８の後段に接続されている冷却手段２２が、排気手段１８によって排気される空気を冷却するため、空気浄化装置２の外部に高温の空気が排気されるのを防ぐことができ、空気浄化装置２の周囲の温度が上昇するのを防ぐことができる。
【００４３】
空気浄化装置２のその他の構成は、実施の形態１の空気浄化装置１と同様である。
【実施例】
【００４４】
以下、実施例を挙げて本発明をより詳細に説明するが、本発明はこれらの実施例に限定されるものではない。
【００４５】
以下に説明するように図１に示す空気浄化装置１を製作した。
【００４６】
図１に示す空気浄化装置１に用いる誘電体１１として、直径２０ｍｍ、厚み１ｍｍ、長さ１００ｍｍの円筒状のホウ珪酸ガラスを用いた。
【００４７】
放電電極１５としては、１００平方ｍｍ当たり２０個の開口部を持つ、長さ５０ｍｍのステンレス鋼製金網を用い、対向電極１６としては、厚み０．０５ｍｍ、長さ６０ｍｍのステンレス鋼製薄板を用いた。
【００４８】
そして、対向電極１６を接地し、電圧印加手段１７により放電電極１５に周波数６０Ｈｚ、振幅３．５ｋＶ（ピーク間電圧７ｋＶ）の正弦波交流電圧を印加することにより、放電電極１５の電極端近傍に放電プラズマを発生させた。
【００４９】
発熱体１４としては、らせん状に巻いたニクロム線を蓋１２と放電電極１５との間に設置し、このニクロム線の両端に周波数６０Ｈｚの正弦波交流電圧を印加することによって発熱させた。その際、印加電圧の振幅を調節することにより、放電電極１５近傍の空気の温度が約２００℃になるようにした。
【００５０】
蓋１２としては、直径２０ｍｍ、厚み１ｍｍの円盤の中央に外気取入口として直径２ｍｍの開口部が設けられた形状のアルミナを用いた。蓋１２を誘電体１１の一端に固定する際には、耐熱粘着テープを用いた。
【００５１】
蓋１３としては、直径２０ｍｍ、厚み１ｍｍの円盤の中央に排気口として直径２ｍｍの開口部が設けられた形状のアルミナを用いた。蓋１２と反対側の誘電体１１の端部に蓋１３を固定する際には、耐熱粘着テープを用いた。
【００５２】
排気手段１８としては、排気速度が毎分１．５リットルのポンプを用いた。このポンプはチューブ１９を通して蓋１３の排気口に接続されている。
【００５３】
以上のように構成された空気浄化装置１の有害化学物質に対する分解性能を評価するために、以下の実験を行った。
【００５４】
（有害化学物質に対する分解性能の評価）
上記構成の空気浄化装置１を１０個作製し、内側寸法が縦１ｍ×横１ｍ×高さ１ｍのステンレス鋼製容器の中に設置した。また、このステンレス鋼製容器の中の有害化学物質の濃度を均一にするため、ステンレス鋼製容器の中に攪拌ファンを１個設置し、作動させた。
【００５５】
空気浄化装置１の運転を開始する前に、有害化学物質としてホルムアルデヒドをステンレス鋼製容器の中に注入し、ステンレス鋼製容器内のホルムアルデヒドの濃度が０．３ｐｐｍになるようにした。
【００５６】
ステンレス鋼製容器内のホルムアルデヒド濃度の測定方法としては、ステンレス鋼製容器内の空気を毎分０．５Ｌの速度で１０分間、シグマアルドリッチジャパン株式会社製の捕集用ＤＮＰＨカートリッジ（型番：ＬｐＤＮＰＨ  Ｓ１０Ｌ）に通過させ、このカートリッジに含まれる2,4-ジニトロフェニルヒドラジン（ＤＮＰＨ）によって誘導体化したホルムアルデヒドの量を高速液体クロマトグラフィーによって分析する方法を用いた。また、ＤＮＰＨカートリッジに通過させる空気にオゾンが含まれていると、ホルムアルデヒドの誘導体化が妨害されるため、シグマアルドリッチジャパン株式会社製のオゾンスクラバーに通過させることによってオゾンを除去してからＤＮＰＨカートリッジに通過させた。
【００５７】
（試験Ｎｏ．１）
空気浄化装置１の運転条件としては、排気手段１８を毎分１．５リットルの速度で運転し、放電電極１５近傍の空気の温度が約２００℃になるように発熱体１４を発熱させ、放電電極１５に周波数６０Ｈｚ、振幅３．５ｋＶ（ピーク間電圧７ｋＶ）の正弦波交流電圧を印加した。
【００５８】
上記運転条件を用いて空気浄化装置１を３時間運転させた後、空気浄化装置１の運転を停止し、３時間放置した。ステンレス鋼製容器内の空気の温度が室温まで下がっていることを確認し、上記測定方法を用いてステンレス鋼製容器内のホルムアルデヒド濃度を測定した結果、０．０２６ｐｐｍであった。
【００５９】
（試験Ｎｏ．２）
空気浄化装置１の運転条件として、排気手段１８を毎分１．５リットルの速度で運転し、放電電極１５近傍の空気の温度は室温に保ち、放電電極１５に周波数６０Ｈｚ、振幅３．５ｋＶ（ピーク間電圧７ｋＶ）の正弦波交流電圧を印加する場合について、上記測定と同様の測定を行った。
上記運転条件を用いて空気浄化装置１を３時間運転させた後、空気浄化装置１の運転を停止し、３時間放置した。その後、上記測定方法を用いてステンレス鋼製容器内のホルムアルデヒド濃度を測定した結果、０．１７５ｐｐｍであった。
【００６０】
（試験Ｎｏ．３）
空気浄化装置１の運転条件として、排気手段１８を毎分１．５リットルの速度で運転し、放電電極１５近傍の空気の温度が約２００℃になるように発熱体１４を発熱させ、放電電極１５の電位を接地電位に保つ場合について、上記測定と同様の測定を行った。
【００６１】
上記運転条件を用いて空気浄化装置１を３時間運転させた後、空気浄化装置１の運転を停止し、３時間放置した。ステンレス製容器内の空気の温度が室温まで下がっていることを確認し、上記測定方法を用いてステンレス製容器内のホルムアルデヒド濃度を測定した結果、０．２９５ｐｐｍであった。
【００６２】
（試験Ｎｏ．４）
空気浄化装置１の運転条件として、排気手段１８を毎分１．５リットルの速度で運転し、放電電極１５近傍の空気の温度を室温に保ち、放電電極１５の電位を接地電位に保つ場合について、上記測定と同様の測定を行った。
【００６３】
上記運転条件を用いて空気浄化装置１を３時間運転させた後、空気浄化装置１の運転を停止し、３時間放置した。その後、上記測定方法を用いてステンレス製容器内のホルムアルデヒド濃度を測定した結果、０．２９３ｐｐｍであった。
【００６４】
以上説明した測定結果を表１に示す。
【００６５】
【表１】
2006247582.tif 000003
表１から明らかなように、高温の空気中で放電プラズマを発生させた結果、空気中の有害化学物質に対する優れた分解効果が観測された。
【００６６】
以上に開示された実施の形態や実施例はすべての点で例示であって制限的なものではないと考慮されるべきである。本発明の範囲は、以上の実施の形態や実施例ではなく、特許請求の範囲によって示され、特許請求の範囲と均等の意味および範囲内でのすべての修正や変形を含むものである。
【図面の簡単な説明】
【００６７】
【図１】本発明の実施の形態１に係る放電プラズマ発生装置の概略構造を示す模式的な断面図である。
【図２】本発明の実施の形態２に係る放電プラズマ発生装置の概略構造を示す模式的な断面図である。
【符号の説明】
【００６８】
１，２：空気浄化装置、１１：誘電体、１２，１３：蓋、１４：発熱体、１５：放電電極、１６：対向電極、１７：電圧印加手段、１８：排気手段、１９：チューブ、２１：断熱材、２２：冷却手段。
【図１】
2006247582.tif 000004
【図２】
2006247582.tif 000005